(57)【要約】      （修正有）【課題】空気ろ過効果が高く、電力を消費せず、取り付け／取り外しが容易な空気清浄機を提供する。【解決手段】空気清浄機１００はフレーム体１０、上リール、下リール、ろ紙５０、駆動装置を備える。フレーム体１０は底フレーム１１、トップフレーム、及び底フレーム１１とトップフレームとの間にそれぞれ連接する２個のサイドフレーム１３を備える。上リールは分解可能な方式でトップフレーム内に可動状に設置され、外力作用を受けてその場で軸回転し、下リールは分解可能な方式で底フレーム１１内に可動状に設置され、外力作用を受けてその場で軸回転する。ろ紙５０一端は上リール中に巻き取られ、反対端は下方へと延伸し下リール中に巻き取られる。駆動装置は底フレーム１１内に設置し、下リールと連結し、下リールの回転を駆動し、上リール中のろ紙５０を放出し、下リールにより巻き取る。【選択図】図１
0003193782.tif 000002
【実用新案登録請求の範囲】
【請求項１】
空気清浄機は、フレーム体、上リール、下リール、ろ紙、駆動装置を備え、
フレーム体は、底フレーム、トップフレーム、及び前記底フレームと前記トップフレームの両側間にそれぞれ連接する２個のサイドフレームを備え、
前記上リールは、分解可能な方式で前記フレーム体のトップフレーム内に可動状に設置され、外力作用を受けて、その場で軸回転し、
前記下リールは、分解可能な方式で前記フレーム体の底フレーム内に可動状に設置され、外力作用を受けて、その場で軸回転し、
前記ろ紙は、空気をろ過し、前記ろ紙の一端は、前記上リール上に巻いて収容し、反対端は下方へと延伸し、前記下リール上に巻いて収容し、
前記駆動装置は、前記フレーム体の底フレーム内に設置し、前記下リールと連結し、前記下リールの回転を駆動し、前記上リール上のろ紙を放出し、前記下リールにより巻き取ることを特徴とする空気清浄機。
【請求項２】
前記空気清浄機はさらに、ショックアブソーバーを備え、
前記ショックアブソーバーは、前記フレーム体のトップフレーム内に設置し、前記上リールと連結し、前記上リールに適度な回転抵抗力を提供することを特徴とする請求項１に記載の空気清浄機。
【請求項３】
前記ショックアブソーバーは、少なくとも１個のアイドラーであることを特徴とする請求項２に記載の空気清浄機。
【請求項４】
前記駆動装置は、モーター、ギアユニット及びコントローラーを備え、
前記モーターは、前記フレーム体の底フレーム内に設置し、
前記ギアユニットは、前記モーターと前記下リールとの間に連結し、前記モーターの回転力を減速後、前記下リール上に伝え、これにより前記下リールの回転を駆動し、
前記コントローラーは、回路板で、前記モーターと電気的に連接することを特徴とする請求項１に記載の空気清浄機。
【請求項５】
前記空気清浄機はさらに、センサーを備え、
前記センサーは、前記フレーム体の底フレーム内に設置し、前記駆動装置のコントローラーと電気的に連接し、
前記センサーは、ろ紙が巻き取られる時の運動軌跡に対応し、ろ紙が巻き取られる長さを感知し、
前記ろ紙が所定の長さの巻取りを行われると、前記センサーにより信号を発し、前記駆動装置に運転の停止を通知することを特徴とする請求項４に記載の空気清浄機。
【請求項６】
前記フレーム体の底フレーム片側には、組み立て孔を備え、
前記組み立て孔は、大孔と小孔が繋がって構成され、
前記下リールの一端に近い外周面上には、環状槽を備え、
前記下リールを前記フレーム体に組み立てる時には、前記下リールを前記組み立て孔の大孔中に挿入し、次に小孔へと移動させ、これにより、前記下リールの環状槽は、前記小孔の孔壁により係合され、前記フレーム体と前記下リールとの組み立てを完成し、
前記下リールを分解する時には、前記下リールを、前記小孔から前記大孔へと移動させるだけで、前記下リールと前記フレーム体とを分解できることを特徴とする請求項１に記載の空気清浄機。
【請求項７】
前記フレーム体のトップフレーム片側には、組み立て孔を備え、
前記組み立て孔は、大孔と小孔が繋がって構成され、
前記上リールの一端に近い外周面上には、環状槽を備え、
前記上リールを前記フレーム体に組み立てる時には、前記上リールを前記組み立て孔の大孔中に挿入し、次に小孔へと移動させ、これにより前記上リールの環状槽は、前記小孔の孔壁に係合され、前記フレーム体と前記上リールとの組み立てを完成し、
前記上リールを取り外す時には、前記上リールを、前記小孔から前記大孔へと移動させるだけで、前記上リールと前記フレーム体とを分解できることを特徴とする請求項１に記載の空気清浄機。
【考案の詳細な説明】
【技術分野】
【０００１】
本考案は、気体ろ過設備に関し、空気清浄機に関する。
【背景技術】
【０００２】
都市が過度に工業化及び商業化された結果、都市の空気汚染は非常に深刻になっている。
屋外の空気汚染の改善は、社会全体の環境保護政策により著手するしか方法がない。
しかし、室内環境は、一般人の生活と仕事にとって必須の空間である。
よって、人体に適した状態への室内空気の質の改善は、現在解決が急がれる課題である。
【０００３】
室内空気の改善法として、現在普及している方法は、室内に一台或いは数台の空気清淨機を置くものである。
けれども、空気清淨機は長時間の運転が必要で電力を消耗するため、電気料金が高くなるばかりか、電力消費が嵩めば環境を悪化させ、悪循環に陥ってしまう。
【０００４】
さらに、空気清淨機の使用時には、室内のドアや窓を密閉し、室内の空気を循環させて使用するが、これでは室内空気の新鮮さが徐々に低下してしまう。
よって、電力を消耗せず、室内空気の質を改善可能な設備装置の提供は喫緊の課題である。  
【考案の概要】
【考案が解決しようとする課題】
【０００５】
しかし、上述した考案は使用上に欠点があり、改善する必要がある。その原因は下記の通りである。
【０００６】
空気清淨機は長時間の運転が必要で電力を消耗するため、電気料金が高くなるばかりか、電力消費が嵩めば環境を悪化させ、悪循環に陥ってしまう。
【０００７】
さらに、空気清淨機の使用時には、室内のドアや窓を密閉し、室内の空気を循環させて使用するが、これでは室内空気の新鮮さが徐々に低下してしまう。
【０００８】
本考案は、上述の問題に鑑みてなされたものであり、その目的は、電力を過度に消耗し、屋外から室内に進入する空気をろ過できず、取り付け／取り外しが容易でない等の従来の空気清淨機に存在する問題を解決可能な空気清浄機を提供することにある。
【課題を解決するための手段】
【０００９】
本考案による空気清浄機は、窓に装置し、屋外からへ室内する空気をろ過する空気清浄機であって、フレーム体、上リール、下リール、ろ紙及び駆動装置を備える。
フレーム体は底フレーム、トップフレーム、及び底フレームとトップフレームとの間にそれぞれ連接する２個のサイドフレームを備える。
上リールは分解可能な方式でトップフレーム内に可動状に設置され、外力作用を受けて、その場で軸回転し、下リールは分解可能な方式で底フレーム内に可動状に設置され、外力作用を受けて、その場で軸回転する。
ろ紙一端は上リール上に巻き取られ、反対端は下方へと延伸し下リール上に巻き取られる。
駆動装置は、底フレーム内に設置し、下リールと連結し、下リールの回転を駆動し、上リール上のろ紙を放出し、下リールにより巻き取る。
こうして、上リールから下リールまでの間に位置するろ紙により空気のろ過を行う。
【００１０】
本考案は、電力を過度に消耗し、屋外から室内に進入する空気をろ過できず、取り付け／取り外しが容易でない等の従来の空気清淨機に存在する問題を解決可能で、空気ろ過機能が高く、空気ろ過効果を向上させられ、しかも電力を消費せず、取り付け／取り外しが容易である。
【図面の簡単な説明】
【００１１】
【図１】本考案の一実施形態による立体組合せ外観図である。
【図２】図１に示す実施形態による局部構成部材模式図である。
【図３】図１に示す実施形態による局部構成部材模式図である。
【図４】図１に示す実施形態による局部構成部材模式図である。
【考案を実施するための形態】
【００１２】
（一実施形態）
本考案の一実施形態によるラックサーバーに用いる空気清浄機を図面に基づいて説明する。
【００１３】
図１〜４に示すように、本考案一実施形態による空気清浄機１００は、フレーム体１０、上リール２０、ショックアブソーバー３０、下リール４０、ろ紙５０、駆動装置６０及びセンサー７０を備える。
【００１４】
図１に示すように、フレーム体１０下方には、水平に設置する底フレーム１１を設置し、上方には、水平に設置するトップフレーム１２を設置し、及び底フレーム１１とトップフレーム１２の左右両側にそれぞれ直立状に連接するサイドフレーム１３を設置する。
【００１５】
図２に示すように、上リール２０は、分解可能な方式でフレーム体１０のトップフレーム１２内に可動状に設置し、外力の作用を受け、その場で軸回転を行う。
【００１６】
図２に示すように、ショックアブソーバー３０は、少なくとも１個のアイドラーで、フレーム体１０のトップフレーム１２内に設置し、上リール２０と連結し、上リール２０に適度な回転抵抗力を提供する。
【００１７】
図３に示すように、下リール４０は、分解可能な方式で、フレーム体１０の底フレーム１１内に可動状に設置し、外力の作用を受け、その場で軸回転を行う。
【００１８】
図１〜３に示すように、ろ紙５０により、屋外の空気をろ過した後、室内に進入させる。
ろ紙５０ろ紙５０の一端は、上リール２０上に巻いて収容し、反対端は下方へと延伸し、下リール４０上に巻いて収容する。
【００１９】
図３に示すように、駆動装置６０は、フレーム体１０の底フレーム１１内に設置し、下リール４０と連結し、動力を出力して、下リール４０を駆動し、その場で軸回転させる。
こうして、ろ紙５０を巻いて収容し、これにより上リール２０上のろ紙５０は放出される。
【００２０】
本実施形態中では、駆動装置６０は、モーター６１、ギアユニット６２及びコントローラー６３を備える。
モーター６１は、フレーム体１０底フレーム１１内に設置する。
ギアユニット６２は、モーター６１と下リール４０との間に連結し、モーター６１の回転力を減速後、下リール４０上に伝え、これにより下リール４０の回転を駆動する。
コントローラー６３は、回路板で、モーター６１と電気的に連接する。
【００２１】
図３に示すように、センサー７０は、フレーム体１０の底フレーム１１内に設置し、駆動装置６０のコントローラー６３と電気的に連接する。
センサー７０は、ろ紙５０が巻き取られる時の運動軌跡に対応し、ろ紙５０が巻き取られる長さを感知する。
ろ紙５０が所定の長さの巻取りを行われると、センサー７０により信号を発し、駆動装置６０に運転の停止を通知する。
【００２２】
上記により、本考案一実施形態が提供する空気清浄機１００の各構成部材及びその組み立てについて紹介した。
続いては、その使用の特徴について説明する。
【００２３】
本考案は、建築物の窓（図示なし）に設置し、ろ紙５０により屋外から室内に進入する空気をろ過する。
【００２４】
ろ紙５０のろ過効果は極めて優れているため、本考案のろ過効果は、一般の網戸より高く、非常に理想的で、室内空気の質を効果的に維持でき、しかも空気清淨機を長時間使用することによる電力消費問題も発生しない。
【００２５】
上リール２０と下リール４０との間に位置するろ紙５０を一定の時間使用すると、駆動装置６０のコントローラー６３によりモーター６１の運転を駆動し、ギアユニット６２いより、回転力を下リール４０上に伝える。
【００２６】
こうすることで、下リール４０は、一定時間使用したろ紙５０を巻き取って収容し、上リール２０中の未使用の清潔なろ紙５０が放出される。
さらに、ショックアブソーバー３０が生じる抵抗力により、ろ紙５０の張力を維持し、ろ紙５０が下リール４０により所定の長さの巻取りを行われると、センサー７０は、駆動装置６０のコントローラー６３に通知する。
こうして、コントローラー６３によりモーター６１の運転を停止し、清潔なろ紙５０が下リール４０と上リール２０との間に設置される。
これにより、窓上において、屋外から室内に進入する空気をろ過することができる。
【００２７】
底フレーム１１とトップフレーム１２の片側には、それぞれ組み立て孔１１１を備える（図４参照）。
組み立て孔１１１は、大孔１１２と小孔１１３が繋がって構成され、下リール４０と上リール２０の一端に近い外周面上には、環状槽４１を備える。
【００２８】
下リール４０をフレーム体１０と組み立てる時には、下リール４０を先ず組み立て孔１１１の大孔１１２中に挿入後、小孔１１３へと移動させる。
これにより、下リール４０の環状槽４１は、小孔１１３の孔壁により係合され、フレーム体１０と下リール４０との組み立てを完成する。
【００２９】
下リール４０を分解する時には、下リール４０を、小孔１１２から大孔１１３へと移動させるだけで、下リール４０とフレーム体１０とを分解できる。
上記したように、本考案の組み立て、分解は非常に利便性が高い。
【００３０】
上述の実施形態の説明を総合すると、本考案の操作、使用、及び本考案が生じる効果を充分理解することができる。しかし、以上に述べた実施形態は単に本考案の好ましい実施形態であり、これによって本考案の実用新案登録請求の範囲を限定することではない。即ち本考案の実用新案登録請求の範囲及び説明書の内容に基づいて、同等効果を有する簡単な変化及び修飾は、全て、本考案の範囲内に属するものとする。
【符号の説明】
【００３１】
１００  空気清浄機、
１０  フレーム体、
１１  底フレーム、
１１１  組み立て孔、
１１２  大孔、
１１３  小孔、
１２  トップフレーム、
１３  サイドフレーム、
２０  上リール、
３０  ショックアブソーバー、
４０  下リール、
４１  環状槽、
５０  ろ紙、
６０  駆動装置、
６１  モーター、
６２  ギアユニット、
６３  コントローラー、
７０  センサー。
【図１】
0003193782.tif 000003
【図２】
0003193782.tif 000004
【図３】
0003193782.tif 000005
【図４】
0003193782.tif 000006